(57)【特許請求の範囲】
【請求項１】
画像を取得する撮影部と、
前記撮影部により取得した取得画像に含まれる処理情報を抽出する情報抽出部と、
前記情報抽出部の抽出結果に基づき、前記取得画像を処理する処理部と、
前記処理部によって処理された処理画像を前記処理情報に紐づけて記憶する記憶部と、
前記撮影部が取得した他の画像からの他の処理情報が、前記処理情報と対応する場合には、前記処理情報に紐づけられた前記処理画像を出力する出力部と、
を備える、撮影装置。
【請求項２】
前記情報抽出部は、
前記取得画像に含まれる１又は複数の情報コードを検出するコード検出部と、
検出した前記情報コードから前記処理情報を取得する情報取得部と、
を有する、請求項１に記載の撮影装置。
【請求項３】
前記情報コードは、１次元コード及び２次元コードのうちのいずれかである、請求項２に記載の撮影装置。
【請求項４】
前記処理情報には、画像の取得及び記憶が許可された撮影可能範囲に関する情報が含まれる、請求項１から３のいずれか１項に記載の撮影装置。
【請求項５】
前記処理部は、前記情報抽出部によって前記処理情報が抽出できた場合には、前記処理情報に基づいて、前記取得画像の一部に対してマスクをかける処理を行う、請求項１から４のいずれか１項に記載の撮影装置。
【請求項６】
前記処理部は、前記情報抽出部によって前記処理情報が抽出できない場合には、前記取得画像の全体に対してマスクをかける処理を行う、請求項１から５のいずれか１項に記載の撮影装置。
【請求項７】
前記出力部は、前記処理画像を表示する表示部である、請求項１から６のいずれか１項に記載の撮影装置。
【請求項８】
前記出力部は、外部装置に前記処理画像を出力するデータ出力部である、請求項１から７のいずれか１項に記載の撮影装置。
【請求項９】
画像を取得する撮影部と、
前記撮影部により取得した取得画像に含まれる処理情報を抽出する情報抽出部と、
前記情報抽出部の抽出結果に基づき、前記取得画像を処理する処理部と、
前記処理部によって処理された処理画像を前記処理情報に紐づけて記憶する記憶部と、
前記撮影部が取得した他の画像からの他の処理情報が、前記処理情報と対応する場合には、前記処理情報に紐づけられた前記処理画像を出力する出力部と、
を含む撮影システム。
【請求項１０】
コンピュータを、
画像を取得する撮影部と、
前記撮影部により取得した取得画像に含まれる処理情報を抽出する情報抽出部と、
前記情報抽出部の抽出結果に基づき、前記取得画像を処理する処理部と、
前記処理部によって処理された処理画像を前記処理情報に紐づけて記憶する記憶部と、
前記撮影部が取得した他の画像からの他の処理情報が、前記処理情報と対応する場合には、前記処理情報に紐づけられた前記処理画像を出力する出力部と、
して機能させるための、プログラム。
【発明の詳細な説明】
【技術分野】
【０００１】
本発明は、撮影装置、撮影システム、及び撮影プログラムに関する。
【背景技術】
【０００２】
顧客の情報を保管する複数のサーバが配置されたデータセンタ等のように顧客の機密を扱っている場所においては、所外への機密漏えい防止の観点から、所内で撮影した画像を外部へ持ち出すことは制限されている。しかしながら、例えば、所内で装置の故障等が生じた場合には、当該装置の復旧を迅速に実施するために、故障個所や故障内容を示す画像を取得し、取得した画像を所外へ持ち出したい場合がある。
【０００３】
そこで、従来技術においては、例えば、下記特許文献１及び２に開示されているように、撮影画像中に特定のシンボル等が含まれている場合には、当該シンボルから撮影が制限されている撮影制限領域に関する情報を抽出する。そして、抽出した情報に基づき、撮影画像中の撮影制限領域については、画像の記録をできないようにする、もしくは、マスク処理を行うことにより、撮影画像を外部に持ち出した際の機密漏えいを防止していた。
【０００４】
さらに、機密漏えいを防止するためには、許可された人物以外が撮影画像を見ることができないように、撮影画像についても厳重に管理することが求められる。そこで、従来においては、例えば、下記特許文献３及び４に開示されているように、撮影画像を表示させる際には認証を実施し、適切に認証が実行された場合にのみ、撮影画像が表示される。
【先行技術文献】
【特許文献】
【０００５】
【特許文献１】特開２０１１−２４４２５１号公報
【特許文献２】特開２０１２−７８９００号公報
【特許文献３】特開２００９−５５６３０号公報
【特許文献４】特開２００６−２８７５１４号公報
【発明の概要】
【発明が解決しようとする課題】
【０００６】
しかしながら、上記特許文献１及び２に開示の技術においては、撮影の際に上述のシンボルが指やごみ等により隠されることにより、撮影画像に当該シンボルの画像が含まれていない場合には、撮影制限領域の画像を記録し、外部へ持ち出すことが可能となり、確実に機密漏えいを防止することができない。
【０００７】
また、撮影画像を厳重管理するために、撮影画像を表示させる際には認証を実施するようにした場合、例えば、撮影装置によって撮影した撮影画像を、その場で再度確認しようとする際には、撮影者はパスワードの入力といった認証作業を実施することとなり、撮影画像の確認が非常に面倒である。
【０００８】
そこで、本発明は、上記問題に鑑みてなされたものであり、本発明の目的とするところは、機密漏えいを防止しつつ、容易に撮影画像の確認を実施することが可能な、新規かつ改良された撮影装置、撮影システム、及び撮影プログラムを提供することにある。
【課題を解決するための手段】
【０００９】
上記課題を解決するために、本発明のある観点によれば、画像を取得する撮影部と、前記撮影部により取得した取得画像に含まれる処理情報を抽出する情報抽出部と、前記情報抽出部の抽出結果に基づき、前記取得画像を処理する処理部と、前記処理部によって処理された処理画像を前記処理情報に紐づけて記憶する記憶部と、前記撮影部が取得した他の画像からの他の処理情報が、前記処理情報と対応する場合には、前記処理情報に紐づけられた前記処理画像を出力する出力部とを備える撮影装置が提供される。
【００１０】
前記情報抽出部は、前記取得画像に含まれる１又は複数の情報コードを検出するコード検出部と、検出した前記情報コードから前記処理情報を取得する情報取得部とを有していてもよい。
【００１１】
前記情報コードは、１次元コード及び２次元コードのうちのいずれかであってもよい。
【００１２】
前記処理情報には、画像の取得及び記憶が許可された撮影可能範囲に関する情報が含まれていてもよい。
【００１３】
前記処理部は、前記情報抽出部によって前記処理情報が抽出できた場合には、前記処理情報に基づいて、前記取得画像の一部に対してマスクをかける処理を行ってもよい。
【００１４】
前記処理部は、前記情報抽出部によって前記処理情報が抽出できない場合には、前記取得画像の全体に対してマスクをかける処理を行ってもよい。
【００１５】
前記出力部は、前記処理画像を表示する表示部であってもよい。
【００１６】
前記出力部は、外部装置に前記処理画像を出力するデータ出力部であってもよい。
【００１７】
また、上記課題を解決するために、本発明の別の観点によれば、画像を取得する撮影部と、前記撮影部により取得した取得画像に含まれる処理情報を抽出する情報抽出部と、前記情報抽出部の抽出結果に基づき、前記取得画像を処理する処理部と、前記処理部によって処理された処理画像を前記処理情報に紐づけて記憶する記憶部と、前記撮影部が取得した他の画像からの他の処理情報が、前記処理情報と対応する場合には、前記処理情報に紐づけられた前記処理画像を出力する出力部とを含む撮影システムが提供される。
【００１８】
また、上記課題を解決するために、本発明のさらなる別の観点によれば、コンピュータを、画像を取得する撮影部と、前記撮影部により取得した取得画像に含まれる処理情報を抽出する情報抽出部と、前記情報抽出部の抽出結果に基づき、前記取得画像を処理する処理部と、前記処理部によって処理された処理画像を前記処理情報に紐づけて記憶する記憶部と、前記撮影部が取得した他の画像からの他の処理情報が、前記処理情報と対応する場合には、前記処理情報に紐づけられた前記処理画像を出力する出力部として機能させるためのプログラムが提供される。
【発明の効果】
【００１９】
以上説明したように本発明によれば、機密漏えい防止しつつ、容易に撮影画像の確認を実施することが可能である。
【図面の簡単な説明】
【００２０】
【図１】本発明の実施形態の基本的な処理の流れを説明するための説明図である。
【図２】本実施形態に係る情報コード５０の貼付の一例を示す説明図である。
【図３】本実施形態における取得画像４０の一例を示す説明図である。
【図４】本実施形態における処理画像４２の一例を示す説明図である。
【図５】本実施形態に係る情報コード５０の一例を示す説明図である。
【図６】本実施形態に係る情報コード５０の貼付の他の一例を示す説明図である。
【図７】第１の実施形態に係るコード作成装置１００の構成を示すブロック図である。
【図８】第１の実施形態に係るコード作成処理のフローチャート図である。
【図９】第２の実施形態に係る撮影装置３００の構成を示すブロック図である。
【図１０】第２の実施形態に係る制御部３０２の構成を示すブロック図である。
【図１１】第２の実施形態に係る撮影処理のフローチャート図である。
【図１２】第３の実施形態に係る表示処理のフローチャート図（その１）である。
【図１３】第３の実施形態に係る表示処理のフローチャート図（その２）である。
【図１４】第３の実施形態に係る表示処理のフローチャート図（その３）である。
【図１５】第３の実施形態に係るリスト画面９０の一例を示す説明図である。
【図１６】第３の実施形態に係る操作画面９２の一例を示す説明図である。
【図１７】第３の実施形態に係る操作画面９４の一例を示す説明図である。
【図１８】第４の実施形態に係る外部装置７００の構成を示すブロック図である。
【図１９】第４の実施形態に係る表示処理のフローチャート図である。
【図２０】第４の実施形態に係る撮影装置３００のハードウェア構成を示したブロック図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
＜基本的な処理の流れ＞
以下に説明する実施形態においては、例えば、内部での撮影が基本的に制限されている室内（例えば、データセンタ等）で、撮影が許可されている被写体の画像を取得し、取得した画像を、その場で、もしくは、外部で表示させることができる。この際、本実施形態においては、撮影が制限されている物体等の画像については、本実施形態に係る情報コード５０を用いて、画像の取得、表示を制限することにより、機密漏えいを防止することができる。
【００２３】
まずは、図１から図４を参照し、本発明の実施形態に係る、情報コード５０の作成、被写体の撮影、取得画像の表示までの基本的な処理の流れを説明する。図１は、本発明の実施形態の基本的な処理の流れを説明するための説明図である。図２は、本実施形態に係る情報コード５０の貼付の一例を示す説明図である。図３は、本実施形態における取得画像４０の一例を示す説明図である。さらに、図４は、本実施形態における処理画像４２の一例を示す説明図である。なお、以下においては、撮影可能な被写体としてモニター画面３０があり、モニター画面３０の周囲に位置するサーバ３２やキーボード等３４については撮影が制限されている場合を例に説明する（図３参照）。
【００２４】
詳細には、以下に説明する実施形態においては、図１の左側に示される本実施形態に係るコード作成装置１００を用いて、情報コード５０を作成する。当該情報コード５０は、本実施形態の撮影装置３００によって被写体を撮影し、撮影した画像を処理等する際に用いられる処理情報等が記録されるコードであり、撮影可能な被写体に貼付される。例えば、図２においては、撮影可能な被写体であるモニター画面３０の下側に情報コード５０が貼付されている。なお、情報コード５０及びコード作成装置１００の詳細については、後で説明する。
【００２５】
次いで、図１の下側に示される本実施形態に係る撮影装置３００を用いて、情報コード５０が貼付された被写体（例えば、モニター画面３０）を撮影する。この際、撮影装置３００が取得した取得画像４０には、例えば、図３に示すように、情報コード５０の画像、撮影が制限されているサーバ３２やキーボード等３４の画像が含まれている。そして、撮影装置３００は、情報コード５０の画像から処理情報を抽出し、抽出した結果に基づいて取得した取得画像４０を処理し、処理画像４２（図４参照、図４においては、撮影可能なモニター画面３０以外は表示されないように、画像処理が施されている）を得る。さらに、撮影装置３００により処理された処理画像４２は、特定の操作を行うことにより、撮影装置３００に表示することができる。なお、撮影装置３００の詳細については、後で説明する。
【００２６】
そして、図１の右側に示される外部装置７００は、特定の操作を行うことにより、撮影装置３００が取得した処理画像４２を表示することができる。なお、外部装置７００の詳細については、後で説明する。
【００２７】
＜情報コード５０＞
まずは、本実施形態に係る情報コード５０について、図２から図６を参照して説明する。図２は、本実施形態に係る情報コード５０の貼付の一例を示す説明図である。図５は、本実施形態に係る情報コード５０の一例を示す説明図である。図６は、本実施形態に係る情報コード５０の貼付の他の一例を示す説明図である。
【００２８】
情報コード５０は、図２に示されるように、内部での撮影が基本的に制限されている室内（例えば、データセンタ等）において撮影可能な被写体（例えば、モニター画面３０）、もしくは、当該被写体の近傍に貼付される。なお、情報コード５０は、撮影装置３００が当該被写体にピントを合わせた際に情報コード５０が解析可能な程度の精度で情報コード５０の画像が取得できるような位置に、貼付されることが好ましい。
【００２９】
情報コード５０は、一次元コード（例えばバーコード）、図５に示すような二次元コード（例えばＱＲコード（登録商標）等）、又は、数字や文字列からなるコードである。また、情報コード５０は、撮影可能な被写体に貼付されたシリアル番号タグであってもよい。
【００３０】
当該情報コード５０は、処理情報として、画像の取得及び記録が許可された撮影可能範囲６０（図４参照）を示す位置情報や、撮影可能な被写体を特定するための被写体情報や、処理画像４２（図４参照）を表示、記録、転送する場合に用いる認証に関する認証情報（例えば、パスワード等）等が記録される。さらに、後述する撮影装置３００は、情報コード５０の画像から、処理情報を抽出することができる。
【００３１】
情報コード５０に記録される撮影可能範囲６０を示す位置情報は、撮影装置３００によって情報コード５０の画像から抽出される。撮影装置３００は、抽出した位置情報を用いることで、取得した取得画像４０（図３参照）を、撮影可能範囲６０以外は表示されないように処理し、処理画像４２（図４参照）を得ることができる。
【００３２】
例えば、図５に示すように情報コード５０がＱＲコードであり、且つ、図４に示すように撮影可能範囲６０が矩形である場合には、情報コード５０の中心を原点５６とし、原点５６から情報コード５０の左右辺（５０ａ、ｂ）に沿って右方向を＋Ｘ方向、情報コード５０の上下辺（５０ｃ、ｄ）に沿って紙面上方向を＋Ｙ方向とする座標系における、矩形状の撮影可能範囲６０を囲む４つの境界線の座標値として示すことができる（図５参照）。
【００３３】
より具体的に、撮影可能範囲６０の位置情報について、図４及び図５を参照して説明する。当該情報コード５０においては、撮影可能範囲６０の位置情報は、例えば、撮影可能範囲６０の４つの境界線が上記座標系における座標値として示される。詳細には、当該位置情報は、撮影可能範囲６０の右端境界線６０ａが、上記原点５６から所定の距離（例えば、情報コード５０の上辺５０ｃの長さの何倍等で表記）分だけ＋Ｘ方向に位置する座標値で示され、撮影可能範囲６０の左端境界線６０ｂは、右端境界線６０ａと同様に、上記原点５６から所定の距離分だけ−Ｘ方向に位置する座標値で示され、撮影可能範囲６０の上端境界線６０ｃは、上記原点５６から所定の距離（例えば、情報コード５０の左辺５０ａの長さの何倍等で表記）分だけ＋Ｙ方向に位置する座標値で示され、撮影可能範囲６０の下端境界線６０ｄは、上端境界線６０ｃと同様に、上記原点５６から所定の距離分だけ−Ｙ方向に位置する座標値で示される。
【００３４】
なお、上述の撮影可能範囲６０の位置情報の表示は、あくまでも表示形態の一例にすぎず、本実施形態においては、撮影可能範囲６０の位置情報の表示は、他の形態であってもよい。例えば、図６に示すように、１つの撮影可能な被写体（図６の例ではモニター画面３０）を取り囲むように複数の情報コード５０が貼付されている場合には、情報コード５０には、複数の情報コード５０が囲む範囲、すなわち、各情報コード５０を各頂点とする矩形の範囲を撮影可能範囲６０とする情報が記録されていてもよい。
【００３５】
また、情報コード５０は、画像の取得及び記録が可能な被写体（撮影可能被写体）を特定するための被写体情報が記録されてもよい。例えば、撮影可能被写体を特定するための被写体情報は、当該被写体の形状及び大きさ（例えば、情報コード５０の大きさを基準として表記される）が含まれ、この場合、撮影装置３００は、情報コード５０の画像から被写体情報を抽出し、当該被写体情報に一致する取得画像４０中の物体を撮影可能被写体として特定する。
【００３６】
また、情報コード５０には、撮影装置３００によって得られた処理画像４２を表示、記録、転送する場合に用いる認証情報が記録されることもできる。当該認証情報は、情報コード５０に紐づけられた認証情報（例えば、パスワード）であり、情報コード５０に紐づけられた処理画像４２を表示、記録、転送する等の際に利用される。また、認証情報は、撮影装置３００によって情報コード５０の画像から抽出され、当該情報コード５０から抽出された他の処理情報に基づいて処理された処理画像４２に紐づけられて、撮影装置３００に記憶される。さらに、撮影装置３００は、上記処理画像４２を表示させる場合には、再度、当該情報コード５０を含む画像を取得し、当該画像から認証情報を抽出し、抽出した認証情報と記憶した認証情報とを照合してもよい。そして、これらの認証情報が互いに対応するものである場合には、撮影装置３００は、上記処理画像４２を表示する。なお、撮影装置３００の動作の詳細については、後で説明する。
【００３７】
なお、上述の位置情報、認証情報等は、あくまでも情報コード５０に記録される処理情報の一例にすぎず、本実施形態においては、情報コード５０には、さらに他の情報が記録されていてもよい。さらに、情報コード５０に記録された位置情報、認証情報等の処理情報は、情報コード５０を管理する管理サーバ２００（図１参照）に記憶されてもよい。また、管理サーバ２００において記憶された処理情報は、情報コード５０が作成される際に、後述するコード作成装置１００に送信されたり、必要に応じて撮影装置３００や外部装置７００へ送信されたりすることができる。
【００３８】
＜＜第１の実施形態＞＞
まずは、撮影装置３００により撮影される被写体（例えば、モニター画面３０）に貼付される情報コード５０を作成する第１の実施形態を説明する。
【００３９】
＜コード作成装置１００＞
まずは、図７を参照して、本実施形態に係るコード作成装置１００の基本構成を説明する。図７は、本実施形態に係るコード作成装置１００の構成を示すブロック図である。コード作成装置１００は、図７に示すように、コード作成部１０２と、印刷処理部１０４とを主に有する。以下、コード作成装置１００の各部について説明する。
【００４０】
（コード作成部１０２）
コード作成部１０２は、コード作成装置１００と接続された管理サーバ２００（図１参照）から取得した処理情報（例えば、撮影可能範囲６０に関する情報や、撮影可能範囲６０に紐づけられた認証情報等）に基づいて、画像の取得及び記録が可能な撮影可能範囲６０（図４参照）を示す位置情報や、処理画像４２（図４参照）を表示、記録、転送する場合に用いる認証情報（例えば、パスワード等）等の情報が記録された情報コード５０を作成するための機能部である。ここで、情報コード５０は、先に説明したように、一次元コード（例えばバーコード）、図４に示すような二次元コード（例えばＱＲコード等）、又は、数字や文字列からなるコードである。
【００４１】
（印刷処理部１０４）
印刷処理部１０４は、コード作成部１０２によって作成された情報コード５０を印刷するための機能部である。印刷処理部１０４は、例えばプリンタなどの出力装置によって構成される。
【００４２】
なお、図１に示されるように、コード作成装置１００で用いる処理情報を記憶する管理サーバ２００は、後述する撮影装置３００及び外部装置７００等との間で、処理情報等を送受信するために、互いに通信ネットワーク２０２により接続されていてもよい。当該通信ネットワーク２０２は、有線又は無線であることができ、例えば、インターネット、ＩＰ−ＶＰＮ（Ｉｎｔｅｒｎｅｔ  Ｐｒｏｔｏｃｏｌ‐Ｖｉｒｔｕａｌ  Ｐｒｉｖａｔｅ  Ｎｅｔｗｏｒｋ）、専用回線、ＬＡＮ（Ｌｏｃａｌ  Ａｒｅａ  Ｎｅｔｗｏｒｋ）又はＷＡＮ（Ｗｉｄｅ  Ａｒｅａ  Ｎｅｔｗｏｒｋ）、赤外線通信などの任意の通信ネットワークから構成される。さらに、専用回線は、ＩＰ−ＶＰＮ等から構成される。
【００４３】
＜情報コード５０の作成処理＞
以上、第１の実施形態に係るコード作成装置１００の基本的な構成を説明した。続いて、図８を参照し、本実施形態に係るコード作成装置１００の情報コード５０の作成処理のおける動作を説明する。図８は、本実施形態に係るコード作成処理のフローチャート図である。
【００４４】
（ステップＳ１０１）
コード作成装置１００は、撮影可能な被写体に係る処理情報（例えば、撮影可能範囲６０に関する情報や、撮影可能範囲６０に紐づけられた認証情報等）を管理サーバ２００から取得する。この際、管理サーバ２００は、作成した情報コード５０に記録される認証情報等を、撮影装置３００や外部装置７００等へ送信してもよい。次いで、ステップＳ１０３へ進む。
【００４５】
（ステップＳ１０３）
コード作成装置１００は、ステップＳ１０１で取得した処理情報に基づいて、撮影可能範囲６０（図４参照）を示す位置情報、認証情報等の処理情報が記録された情報コード５０を作成する。次いで、ステップＳ１０５へ進む。
【００４６】
（ステップＳ１０５）
コード作成装置１００は、作成された情報コード５０を印刷し、処理を終了する。なお、印刷された情報コード５０は、図２に示すように、作成者によって、該当する撮影可能な被写体、もしくは、当該被写体の近傍に貼付される。
【００４７】
なお、情報コード５０が、撮影可能な被写体に予め貼付されたシリアル番号タグ等である場合には、本実施形態に係る作成処理は省略されてもよい。この場合、シリアル番号タグの画像は、管理サーバ２００に記憶され、さらに、撮影可能範囲６０に関する情報や、認証情報等の処理情報が、当該画像と紐づけられて管理サーバ２００に記憶される。
【００４８】
＜＜第２の実施形態＞＞
次に、作成された情報コード５０が貼付された被写体の画像を取得する第２の実施形態を説明する。
【００４９】
＜撮影装置３００＞
まずは、図９及び図１０を参照して、本実施形態に係る撮影装置３００の基本構成を説明する。図９は本実施形態に係る撮影装置３００の構成を示すブロック図である。また、図１０は本実施形態に係る制御部３０２の構成を示すブロック図である。
【００５０】
撮影装置３００は、カメラや、カメラ付のスマートフォン、フューチャーフォン、タブレットＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）等のような端末であり、撮影が制限された撮影場所（例えば、データセンタ）に持ち込むことがあらかじめ許可された撮影装置である。なお、撮影装置３００は、認証機構を有することが好ましく、例えば、撮影者等が特定のパスワードを撮影装置３００に入力して、撮影者等の認証を行うことにより撮影装置３００が起動する。
【００５１】
また、撮影装置３００のハードウェア構成としては、詳細は後で説明するが、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）が内部バスを介して入出力インターフェースに接続され、入出力インターフェースには、入力装置、出力装置、ＨＤＤ（Ｈａｒｄ  Ｄｉｓｋ  Ｄｒｉｖｅ）等の記憶装置、ネットワークインターフェース、カメラ、ドライブ及び接続ポートが接続される構成を有する。さらに、撮影装置３００には、本実施形態を実施するためのアプリケーションが実装されている。
【００５２】
撮影装置３００は、図９に示すように、制御部３０２は、撮影部３０４、操作表示部３０６、記憶部３０８、通信部３１０、及びデータ出力部３１２を主に有する。
【００５３】
（制御部３０２）
制御部３０２は、撮影装置３００に内蔵されるＣＰＵ、ＲＡＭなどのハードウェアを用いて、撮影装置３００の動作を全般的に制御する。制御部３０２の詳細については、後で説明する。
【００５４】
（撮影部３０４）
撮影部３０４は、制御部３０２（詳細には、後述する撮影制御部３２０）の制御に従って、実空間の画像を、レンズを通して例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像素子に結像させ、静止画像又は動画像を取得する。
【００５５】
（操作表示部３０６）
操作表示部３０６は、本実施形態における表示部の一例である。表示部は、例えば、液晶ディスプレイ（ＬＣＤ:Ｌｉｑｕｉｄ  Ｃｒｙｓｔａｌ  Ｄｉｓｐｌａｙ）装置や、ＯＬＥＤ（Ｏｒｇａｎｉｃ  Ｌｉｇｈｔ  Ｅｍｉｔｔｉｎｇ  Ｄｉｏｄｅ）装置等により実現される。操作表示部３０６は、制御部３０２（詳細には、後述する表示制御部３３２）の制御に従って、処理画像４２（図４参照）や、シャッタボタンに対応する画面等の撮影者等が操作する操作画面を表示する。また、操作表示部３０６は、上記シャッタボタンを押す等の撮影者等による撮影装置３００に対する各種の入力操作（タップ操作等も含む）を、例えば、操作表示部３０６に積層されたタッチパネルにより受け付ける。なお、操作表示部３０６の操作部と表示部とは、上述のように、操作機能と表示機能の両方の機能を包含する操作表示部として構成されることに限定されるものではなく、例えば、表示部としてのディスプレイ装置及び操作部としてのキーボードのように、別体のものとして構成されていてもよい。
【００５６】
（記憶部３０８）
記憶部３０８は、例えば、本実施形態に係るアプリケーション等の各種のソフトウェアや、処理画像４２（図４参照）や処理画像４２に紐づけられた処理情報等の各種のデータを記憶する。
【００５７】
（通信部３１０）
通信部３１０は、例えば無線通信網等を介して、他の外部装置７００等との間でデータの送受信（通話も含む）を行うことができる。
【００５８】
（データ出力部３１２）
データ出力部３１２は、撮影装置３００に内蔵、あるいは外付けされる磁気ディスク、光ディスク、又は半導体メモリなどのリムーバブル記録媒体に対して情報を書き込み及び読み出すことができる。また、データ出力部３１２は、撮影装置３００に直接接続された外部装置７００等に対して情報を書き込み及び読み出すこともできる。
【００５９】
＜制御部３０２の詳細構成＞
以上、本実施形態に係る撮影装置３００の基本構成を説明した。続いて、本実施形態に係る撮影装置３００の制御部３０２の詳細について、図１０を参照して説明する。図１０に示すように、制御部３０２は、撮影制御部３２０、画像解析部３２２、情報抽出部３２４、画像処理部３３０、表示制御部３３２、操作認識部３３４、及び通信制御部３３６を主に有する。
【００６０】
（撮影制御部３２０）
撮影制御部３２０は、被写体の画像を取得するために、撮影装置３００の撮影部３０４を制御する。例えば、撮影制御部３２０は、被写体にピントを合わせるために、撮影部３０４のレンズの焦点距離を制御し、さらには、後述する画像解析部３２２により得られる被写体の画像の精度が所定の精度以上になった場合には、その際の被写体の画像を取得するように撮影部３０４を制御する。
【００６１】
（画像解析部３２２）
画像解析部３２２は、撮影部３０４が取得した取得画像４０（図３参照）を解析する。画像解析部３２２は、例えば、取得画像４０の中心に位置する物体を被写体として特定したり、取得画像４０中の特定した被写体の形や色などの特徴を表す輪郭や濃淡値、色情報などを抽出し、抽出した結果に基づいて、被写体の画像の精度を算出したりする。
【００６２】
（情報抽出部３２４）
撮影部３０４により取得した取得画像４０（図３参照）に含まれる処理情報を抽出する。詳細には、情報抽出部３２４は、図３に示すように、撮影可能な被写体、もしくは、被写体の近傍に貼付された情報コード５０から処理情報を抽出する。
【００６３】
例えば、情報抽出部３２４は、コード検出部３２６と情報取得部３２８とを有する。当該コード検出部３２６は、撮影部３０４が取得した取得画像４０に情報コード５０が含まれているかを、例えば、当該取得画像４０を走査して判断する（図３参照）。より具体的には、コード検出部３２６は、例えば、情報コード５０がＱＲコードである場合には、取得画像４０において、所定の位置関係にある所定の四角形のドット５２（図５参照）が有るか否かを判断する。さらに、３つのドット５２が検出された場合には、コード検出部３２６は、当該ドット５２に囲まれた領域に含まれ、ドット５２よりも小さな四角形の小ドット５４により構成されるドットパターンが所定のルールに適合するか否かを判断する（例えば、当該領域に小ドット５４が所定の数含まれているか否かを判断する）ことにより、取得画像４０に含まれる１つ又は複数の情報コード５０を検出する。
【００６４】
さらに、当該情報取得部３２８は、上述のコード検出部３２６により取得画像４０に含まれる情報コード５０を検出した場合には、検出した情報コード５０から処理情報を取得する。詳細には、情報コード５０から、例えば、画像の取得及び記録が可能な撮影可能範囲６０（図４参照）を示す位置情報や、撮影可能な被写体を特定するための被写体情報や、後述する画像処理部３３０によって処理された処理画像４２（図４参照）を表示、記録、転送する場合に用いる認証情報（例えば、パスワード等）等を取得することができる。
【００６５】
なお、本実施形態においては、情報取得部３２８は、直接情報コード５０から上記情報を取得することに限定されるものではなく、例えば、コード検出部３２６によって検出された情報コード５０の画像を用いて、当該画像に紐づけられた処理情報を管理サーバ２００から抽出することによって、取得してもよい（例えば、情報コード５０が、撮影可能な被写体に予め貼付されたシリアル番号タグ等である場合等）。
【００６６】
さらに、当該情報取得部３２８は、情報コード５０から抽出した上記認証情報が、処理画像４２に紐づけられて記憶部３０８に記憶された認証情報に対応するか否かを判断することもできる。
【００６７】
（画像処理部３３０）
画像処理部３３０は、情報抽出部３２４の抽出結果に基づいて、撮影部３０４が取得した取得画像４０に対して処理を行う。例えば、取得画像４０から、情報抽出部３２４の情報取得部３２８によって情報コード５０から撮影可能範囲６０を示す位置情報が取得できた場合には、画像処理部３３０は、取得画像４０に対して、撮影可能範囲６０以外の領域を白、黒又はグレー等のマスクをかけたりモザイクをかけたりして画像処理を行い、処理画像４２（図４参照）を取得する。また、画像処理部３３０は、情報抽出部３２４（コード検出部３２６及び情報取得部３２８）によって、取得画像４０から情報コード５０が検出されない、もしくは、撮影可能範囲６０（図４参照）を示す位置情報や、撮影可能な被写体を特定するための被写体情報等が取得できない場合には、取得画像４０の全体に対して、白、黒又はグレー等のマスクをかけたりモザイクをかけたりして画像処理を行い、処理画像４２を取得してもよい。
【００６８】
（表示制御部３３２）
表示制御部３３２は、画像処理部３３０によって処理した処理画像４２や、撮影者等に対して撮影装置３００への操作を誘導する操作画面（例えば、図１５に示すリスト画面）等を操作表示部３０６に表示させるように、操作表示部３０６を制御する。
【００６９】
（操作認識部３３４）
操作認識部３３４は、操作表示部３０６に表示された操作画面等に対する撮影者等の操作等を受け付けた場合には、受け付けた操作に応じて、撮影装置３００の各種機能を起動させる。例えば、操作認識部３３４は、撮影者等によって認証情報（例えば、パスワード）の入力操作を受け付けた場合には、入力された認証情報が、処理画像４２に紐づけられて記憶部３０８に記憶された認証情報に対応するか否かを判断することもできる。
【００７０】
（通信制御部３３６）
通信制御部３３６は、取得した処理画像４２（図４参照）等を外部装置７００等に送受信するように、上述の通信部３１０を制御する。
【００７１】
なお、上述の撮影装置３００の各機能部は、単一の撮影装置３００に含まれるものとして構成されることに限定されるものではなく、単一の撮影システムを構成する別個の装置として構成されていてもよく、この場合には、別個の装置群は１つの撮影システムを構成する。また、当該撮影システムは、さらに他の装置を含んでいてもよい。
【００７２】
＜撮影処理＞
以上、第２の実施形態に係る撮影装置３００の基本的な構成を説明した。続いて、図１１を参照し、本実施形態に係る撮影装置３００の撮影処理における動作を説明する。図１１は、本実施形態に係る撮影処理のフローチャート図である。
【００７３】
以下に説明する撮影処理においては、内部での撮影が基本的に制限されているデータセンタ内において装置の故障等が生じ、当該装置の復旧を迅速に実施するために、故障個所や故障内容を示す装置のモニター画面３０の画像を取得し、記憶するまでの一連の動作を実施した場合を一例として説明する。なお、本実施形態においては、撮影可能な被写体としてモニター画面３０があり、モニター画面３０の周囲に位置するサーバ３２やキーボード等３４については、撮影が制限されている（図３参照）。
【００７４】
（ステップＳ２０１）
撮影者は、撮影装置３００を撮影場所（データセンタ）に持ち込み、撮影装置３００を起動させ、撮影装置３００のレンズを被写体（モニター画面３０）に向ける。次いで、ステップＳ２０３へ進む。
【００７５】
（ステップＳ２０３）
撮影装置３００は、被写体（モニター画面３０）を特定し、被写体にピントを合わせる。次いで、ステップＳ２０５へ進む。なお、ピント合わせについては、撮影装置３００が自動的に行ってもよく、もしくは、撮影者が手動により行ってもよい。
【００７６】
（ステップＳ２０５）
撮影装置３００は、モニター画面３０の画像４０（図３参照）を取得する。この際、取得した取得画像４０には、図３に示すように、撮影者が撮影したい被写体（モニター画面３０）の画像の他に、情報コード５０、モニター画面３０の周囲に位置するサーバ３２やキーボード等３４の画像が含まれている。次いで、ステップＳ２０７へ進む。
【００７７】
（ステップＳ２０７）
撮影装置３００は、取得した取得画像４０に情報コード５０が含まれているかを判断する。情報コード５０が含まれている場合には、ステップＳ２０９へ進む。一方、情報コード５０が含まれていない場合には、ステップＳ２０１へ戻り、もう一度、被写体（モニター画面３０）に撮影装置３００のレンズを向けることとなる。
【００７８】
（ステップＳ２０９）
撮影装置３００は、取得した取得画像４０に含まれる情報コード５０（図３の場合には、モニター画面３０の下方に貼付された情報コード５０）に記録された処理情報を抽出する。抽出する処理情報は、例えば、撮影可能範囲６０（図４参照）を示す位置情報や、取得画像４０を処理して得られた処理画像４２（図４参照）を表示、記録、転送する場合に用いる認証情報等である。次いで、ステップＳ２１１へ進む。
【００７９】
（ステップＳ２１１）
撮影装置３００は、情報コード５０から抽出した処理情報から、撮影可能範囲６０の位置情報を取得できた場合には、ステップＳ２１３へ進む。一方、撮影可能範囲６０の位置情報を取得できない場合には、ステップＳ２０１へ戻る。なお、抽出した処理情報から上記位置情報を取得する際には、例えば、情報の記載形式により、位置情報であることを認識し、当該情報を取得する。また、ステップＳ２１１においては、撮影装置３００は、撮影可能範囲６０の位置情報の代わりに、情報コード５０が画像の取得及び記録が可能な被写体（撮影可能被写体）を特定するための被写体情報を含んでいる場合には、被写体情報を取得してもよい。
【００８０】
（ステップＳ２１３）
撮影装置３００は、取得した取得画像４０に対して、ステップＳ２１１にて取得した撮影可能範囲６０の位置情報に基づいて、画像処理を行う。具体的には、撮影装置３００は、取得した取得画像４０に対して、撮影可能範囲６０以外の領域に、黒、白、又はグレー等のマスクをかける画像処理を行い、図４のような処理画像４２を取得する。次いで、ステップＳ２１５へ進む。なお、ステップＳ２１３においては、撮影装置３００は、取得画像４０において撮影可能範囲６０以外の領域が不鮮明になるように、撮影可能範囲６０以外の領域にモザイクをかける画像処理を行ってもよい。
【００８１】
（ステップＳ２１５）
撮影装置３００は、ステップＳ２１３において画像処理して得られた処理画像４２を操作表示部３０６に表示する。次いで、ステップＳ２１７へ進む。
【００８２】
（ステップＳ２１７）
撮影者が、操作表示部３０６に表示された処理画像４２を確認して、撮影装置３００のシャッタボタン（例えば、シャッタボタンは操作表示部３０６に表示される）に対して操作を行った場合には、ステップＳ２１９へ進む。一方、所定の時間を経過しても撮影者がシャッタボタンに対して操作を行わない場合には、ステップＳ２０１へ戻る。
【００８３】
（ステップＳ２１９）
撮影装置３００は、処理画像４２を記憶部３０８に記憶し、処理を終了する。この際、撮影装置３００は、ステップＳ２０９で情報コード５０から抽出された処理情報、例えば、認証情報等を、処理画像４２に紐づけて記憶する。
【００８４】
なお、上述の撮影処理においては、ステップＳ２０７及びステップＳ２１１において、取得画像４０に情報コード５０が含まれていない場合、及び、情報コード５０から撮影可能範囲６０を示す位置情報が取得できない場合には、ステップＳ２０１へ戻っていた。しかしながら、本実施形態においては、ステップＳ２０１へ戻ることに限定されるものではなく、例えば、ステップＳ２１３へ進み、当該ステップにて、取得画像４０の全体に対して、黒、白、又はグレー等のマスクをかける、もしくは、取得画像４０の全体が不鮮明になるようにモザイクをかける画像処理を行ってもよい。
【００８５】
また、ステップＳ２１９において、処理画像４２を記憶部３０８に記憶した際には、撮影装置３００は、処理画像４２に紐づけられた認証情報を外部装置７００等に送信してもよい。さらに、上記認証情報は、ステップＳ２１９において、操作表示部３０６に表示されてもよい。
【００８６】
以上のように、本実施形態においては、取得画像４０に情報コード５０が含まれ、さらに、情報コード５０から撮影可能範囲６０を示す位置情報、もしくは、画像の取得及び記録が可能な被写体を特定するための被写体情報が情報コード５０から取得できた場合には、撮影したい被写体の画像を取得し、記憶することができる。すなわち、本実施形態によれば、情報コード５０、撮影可能範囲６０を示す位置情報、もしくは、被写体情報等が取得できない場合には、撮影したい被写体の画像を取得し、記憶することができないため、取得画像による機密の漏えいを防止することができる。さらに、本実施形態においては、取得画像４０を、そのまま記憶するのではなく、取得画像４０中の撮影可能範囲６０以外を、表示しない、もしくは、不鮮明になるように処理して、処理画像４２として記憶するため、撮影が制限されている領域についての機密の漏えいを防止することができる。
【００８７】
＜＜第３の実施形態＞＞
次に、記憶された処理画像４２を撮影装置３００にて表示する第３の実施形態を説明する。なお、本実施形態において用いられる撮影装置３００は、第２の実施形態で用いられた撮影装置３００と同様であるため、ここでは、撮影装置３００の基本的構成についての説明は省略する。なお、本実施形態で用いられる撮影装置３００は、処理画像４２を生成した撮影装置３００であることに限定されるものではなく、当該処理画像４２を生成した撮影装置３００から当該処理画像４２及びこれに紐づけられた処理情報等を取得した撮影装置３００であってもよい。
【００８８】
＜表示処理＞
図１２から図１７を参照し、本実施形態に係る撮影装置３００の表示処理における動作を説明する。図１２から図１４は、本実施形態に係る表示処理のフローチャート図である。また、図１５から図１７は、本実施形態に係る操作画面の一例を示す説明図である。
【００８９】
以下に説明する表示処理においては、データセンタ内で撮影装置３００によって撮影した画像を、当該画像の表示を停止した後に、撮影者（操作者）が撮影場所で当該画像を再度確認するために、当該画像を選択し、選択した当該画像を撮影装置３００に表示するまでの一連の動作を実施した場合を一例として説明する。
【００９０】
（ステップＳ３０１）
図１５に示すように、撮影装置３００は、記憶部３０８に記憶された処理画像４２の一覧である処理画像４２のリスト画面９０を操作表示部３０６に表示する。次いで、ステップＳ３０３へ進む。なお、本実施形態においては、リスト画面９０は、図１５に示される態様に限定されるものではなく、他の態様であってもよい。
【００９１】
（ステップＳ３０３）
撮影者が、リスト画面９０に示される処理画像４２のうちから表示したい処理画像４２を選択する。例えば、撮影者は、リスト画面９０の中から、各処理画像のデータ名や撮影時刻等を参照して、表示したい処理画像４２に対応するボックス９０ａに対して操作を行うことにより、撮影装置３００に選択入力することができる。選択入力を受け付けた撮影装置３００は、ステップＳ３０５へ進む。
【００９２】
（ステップＳ３０５）
撮影装置３００は、操作表示部３０６に、撮影者に対して、図１６に示すようなセキュリティモードの選択操作を誘導する操作画面９２を表示する。当該操作画面９２は、選択した処理画像４２を表示させるための認証方式の選択操作を誘導する画面であり、撮影者は、情報コード５０を用いて認証を行う情報コードモード、もしくは、認証情報（例えば、パスワード）を用いて認証を行うパスワードモードのいずれかを選択することができる。次いで、ステップＳ３０７へ進む。
【００９３】
（ステップＳ３０７）
撮影者が、情報コードモードを選択し、操作画面９２中の情報コードモードに対応するボタン９２ａに対して操作を行った場合には、撮影装置３００は情報コードモードの選択入力を受け付け、ステップＳ４０１（図１３参照）へ進む。一方、撮影者が、パスワードモードを選択し、操作画面９２中のパスワードモードに対応するボタン９２ｂに対して操作を行った場合には、撮影装置３００はパスワードモードの選択入力を受け付け、ステップＳ５０１（図１４参照）へ進む。なお、本実施形態においては、操作画面９２は、図１６に示される態様に限定されるものではなく、他の態様であってもよい。
【００９４】
（ステップＳ４０１）
以下のステップは、撮影者が情報コードモードを選択した場合の処理である。撮影者は、先に説明したように、データセンタ内で撮影装置３００を起動させ、撮影装置３００のレンズを撮影処理の際に撮影した被写体（モニター画面３０）に向ける。次いで、ステップＳ４０３へ進む。
【００９５】
（ステップＳ４０３）
撮影装置３００は、被写体（モニター画面３０）を特定し、被写体にピントを合わせる。次いで、ステップＳ４０５へ進む。なお、ピント合わせについては、ステップＳ２０３と同様に、撮影装置３００が自動的に行ってもよく、もしくは、撮影者が手動により行ってもよい。
【００９６】
（ステップＳ４０５）
撮影装置３００は、モニター画面３０の取得画像４０を取得する。この際、取得した取得画像４０には、図３に示すように、モニター画面３０の下方に貼付された情報コード５０が含まれる。次いで、ステップＳ４０７へ進む。
【００９７】
（ステップＳ４０７）
撮影装置３００は、取得した取得画像４０に情報コード５０が含まれているかを判断する。情報コード５０が含まれている場合には、ステップＳ４０９へ進む。一方、情報コード５０が含まれていない場合には、ステップＳ４０１へ戻り、もう一度、モニター画面３０に撮影装置３００のレンズを向けることとなる。
【００９８】
（ステップＳ４０９）
撮影装置３００は、取得した取得画像４０に含まれる情報コード５０（図３の場合には、モニター画面３０の下方に貼付された情報コード５０）に記録された処理情報を抽出する。ここで、抽出する処理情報は、情報コード５０に対応する処理画像４２（図４参照）を表示、記録、転送する場合に用いる認証情報（例えば、パスワード等）である。そして、撮影装置３００は、抽出した認証情報が、表示しようと選択した選択処理画像４２に紐づけられ、記憶部３０８に記憶された認証情報に対応するものがどうかを判断する。抽出した認証情報が選択処理画像４２の認証情報に対応する場合には、ステップＳ４１１へ進む。一方、抽出した認証情報が選択処理画像４２の認証情報に対応しない場合には、ステップＳ４０１へ戻り、もう一度、モニター画面３０に撮影装置３００のレンズを向けることとなる。
【００９９】
なお、上述のステップＳ４０９においては、撮影装置３００は、抽出した認証情報が選択処理画像４２の認証情報に完全に一致する場合に、抽出した認証情報が選択処理画像４２の認証情報に対応すると判断してもよい。もしくは、撮影装置３００は、これらの認証情報が完全に一致していなくても、その一部が一致している等、すなわち、認証情報が互いに対応するものである場合には、抽出した認証情報が選択処理画像４２の認証情報に対応すると判断してもよい。
【０１００】
（ステップＳ４１１）
撮影装置３００は、ステップＳ３０３において選択した選択処理画像４２を操作表示部３０６に表示し、処理を終了する。
【０１０１】
（ステップＳ５０１）
以下のステップは、撮影者がパスワードモードを選択した場合の処理である。撮影装置３００は、操作表示部３０６に、撮影者に対して図１７に示すような認証情報（例えば、パスワード）の入力を誘導する操作画面９４を表示する。次いで、ステップＳ５０３へ進む。なお、本実施形態においては、操作画面９４は、図１７に示される態様に限定されるものではなく、他の態様であってもよい。
【０１０２】
（ステップＳ５０３）
撮影者は、操作画面９４に対して認証情報（パスワード）を入力する。なお、撮影者は、入力する認証情報を、管理サーバ２００からあらかじめ取得してもよく、撮影装置３００から送信されることにより取得してもよい。そして、撮影装置３００は認証情報の入力を受け付け、ステップＳ５０５へ進む。
【０１０３】
（ステップＳ５０５）
撮影装置３００は、受け付けた認証情報（パスワード）が、表示しようと選択した選択処理画像４２に紐づけられ、記憶部３０８に記憶された認証情報に対応するものがどうかを判断する。受け付けた認証情報が、選択処理画像４２の認証情報に対応する場合には、ステップＳ５０７へ進む。一方、受け付けた認証情報が選択処理画像４２の認証情報に対応しない場合には、ステップＳ５０１へ戻り、もう一度、撮影者に対して認証情報の入力を誘導する。
【０１０４】
なお、上述のステップＳ５０５においては、撮影装置３００は、受け付けた認証情報が、選択処理画像４２の認証情報に完全に一致する場合に、受け付けた認証情報が選択処理画像４２の認証情報に対応すると判断してもよい。もしくは、撮影装置３００は、これらの認証情報が完全に一致していなくても、その一部が一致している等、すなわち、認証情報が互いに対応するものである場合には、抽出した認証情報が選択処理画像４２の認証情報に対応すると判断してもよい。
【０１０５】
（ステップＳ５０７）
撮影装置３００は、ステップＳ３０３において選択した選択処理画像４２を操作表示部３０６に表示し、処理を終了する。
【０１０６】
なお、先に説明したように、撮影者は、パスワードモードで使用される認証情報（パスワード）を、管理サーバ２００からあらかじめ取得してもよく、もしくは、撮影装置３００から送信されることにより取得してもよい。また、機密を厳重に管理する観点から、認証情報は、処理画像４２ごとに準備されることが好ましいが、撮影者の管理の手間を考慮すると、情報コード５０ごとに準備されていてもよく、複数の情報コード５０からなるコード群ごとに準備されていてもよい。後者の場合、複数の情報コード５０を１つのコード群として管理し、コード群ごとに準備された認証情報は、上記管理サーバ２００に予め保管されていてもよい。
【０１０７】
なお、上述の表示処理においては、ステップＳ４０７及びステップＳ４０９にて、取得画像４０に情報コード５０が含まれていない場合、もしくは新たな取得画像４０の認証情報が選択処理画像４２の認証情報に対応しない場合には、ステップＳ４０１へ戻っていた。また、ステップＳ５０５において、受け付けた認証情報が選択処理画像４２の認証情報に対応しない場合には、ステップＳ５０１へ戻っていた。しかしながら、本実施形態においては、上述のように上流のステップに戻ることに限定されるものではなく、例えば、各ステップにおいて、選択処理画像４２を表示することなく処理を終了してもよい。
【０１０８】
以上のように、本実施形態においては、第２の実施形態の撮影処理において取得した処理画像４２を撮影装置３００にて表示する際には、処理画像４２に紐づけられて記憶された認証情報に対応する認証情報が取得もしくは入力された場合に限り、処理画像４２を表示するように構成されているため、処理画像４２による機密の漏えいを防止することができる。例えば、本実施形態においては、第１の撮影者が使用した後に第２の撮影者が同じ撮影装置３００を使用した場合であっても、第１の撮影者が撮影し、撮影装置３００に記憶されたままの処理画像４２を、第２の撮影者が見ることができないため、漏えいを防ぐことができる。
【０１０９】
また、本実施形態においては、撮影場所内で撮影装置３００によって撮影した処理画像４２を撮影者がその場で再度確認したい場合には、撮影者が撮影装置３００を処理画像４２の被写体に再度向けるだけで、当該処理画像４２の表示することができるため、撮影者は、面倒な操作（例えば、パスワードの入力）を行うことなしに、容易に当該処理画面４２を確認することができる。
【０１１０】
なお、上述の表示処理は、撮影装置３００に処理画像４２を表示する際だけでなく、例えば、撮影装置３００から処理画像４２を、他の外部装置７００等に送信する際や、リムーバブル記録媒体等に書き込む際にも適用することができる。この際、処理画像４２とともに、処理画像４２に紐づけられた認証情報等も、処理画像４２と紐づけられて送信、又は、書き込まれる。
【０１１１】
＜＜第４の実施形態＞＞
最後に、記憶された処理画像４２を外部装置７００にて表示する第４の実施形態を説明する。
【０１１２】
＜外部装置７００＞
まずは、図１８を参照して、本実施形態に係る外部装置７００の基本構成を説明する。図１８は、本実施形態に係る外部装置７００の構成を示すブロック図である。
【０１１３】
外部装置７００は、例えば、ＰＣ（Ｐｅｒｓｏｎａｌ  Ｃｏｍｐｕｔｅｒ）、スマートフォン、タブレットＰＣ、ＰＤＡ等のような端末であり、外部装置７００のハードウェア構成としては、ＣＰＵ、ＲＯＭ、及びＲＡＭが内部バスを介して入出力インターフェースに接続され、入出力インターフェースには、入力装置、出力装置、ＨＤＤ等の記憶装置、ネットワークインターフェース、ドライブ及び接続ポートが接続される構成を有する。また、外部装置７００には、本実施形態を実施するためのアプリケーションが実装されている。
【０１１４】
外部装置７００は、図１８に示すように、制御部７０２、表示部７０４、操作部７０６、記憶部７０８、通信部７１０、及びデータ出力部７１２を主に有する。
【０１１５】
（制御部７０２）
制御部７０２は、外部装置７００に内蔵されるＣＰＵ、ＲＡＭなどのハードウェアを用いて、外部装置７００の動作を全般的に制御する。例えば、制御部７０２は、操作者によって、後述する操作部７０６に対する認証情報（例えば、パスワード）の入力操作を受け付けた場合には、入力された認証情報が、後述する記憶部７０８に記憶された処理画像４２に紐づけられて、処理画像４２と同様に記憶部７０８に記憶された認証情報に対応するか否かを判断することができる。
【０１１６】
（表示部７０４）
表示部７０４は、例えば、液晶ディスプレイ装置等により実現され、制御部７０２の制御に従って、処理画像４２（図４参照）や、操作者が操作する操作画面等を表示する。
【０１１７】
（操作部７０６）
操作部７０６は、例えば、キーボード等により実現され、操作者の操作を受け付ける。なお、表示部７０４と操作部７０６とは、別個の物として構成されることに限定されるものではなく、例えば、表示部７０４の機能と操作部７０６の機能の両方の機能を包含する一体の操作表示部として構成されていてもよい。
【０１１８】
（記憶部７０８）
記憶部７０８は、例えば、本実施形態に係るアプリケーション等の各種のソフトウェアや、処理画像４２（図４参照）や処理画像４２に紐づけられた処理情報等の各種のデータを記憶する。
【０１１９】
（通信部７１０）
通信部７１０は、例えば無線通信網等を介して、撮影装置３００等との間でデータの送受信を行うことができる。
【０１２０】
（データ出力部７１２）
データ出力部７１２は、外部装置７００に内蔵、あるいは外付けされる磁気ディスク、光ディスク、又は半導体メモリなどのリムーバブル記録媒体に対して情報を書き込み及び読み出すことができる。また、データ出力部７１２は、外部装置７００に直接接続された外部接続機器に対して情報を書き込み及び読み出すこともできる。
【０１２１】
＜表示処理＞
図１９を参照し、本実施形態に係る外部装置７００の表示処理における動作を説明する。図１９は、本実施形態に係る表示処理のフローチャート図である。
【０１２２】
（ステップＳ６０１）
外部装置７００は、撮影装置３００に記憶した処理画像４２を取得し、記憶部７０８に記憶する。この際、処理画像４２とともに、処理画像４２に紐づけられた認証情報等の処理情報も取得され、処理画像４２と紐づけられて記憶される。また、処理画像４２を撮影装置３００から取得する方法は、特に限定されるものではなく、撮影装置３００等との間で無線又は有線通信を行うことにより取得してもよく、もしくは、リムーバブル記録媒体を介して取得してもよい。次いで、ステップＳ６０３へ進む。
【０１２３】
（ステップＳ６０３）
外部装置７００は、取得した処理画像４２のリスト画面９０を表示部７０４に表示する（例えば、図１５参照）。次いで、ステップＳ６０５へ進む。
【０１２４】
（ステップＳ６０５）
操作者が、リスト画面９０に示される処理画像４２のうちから表示したい処理画像４２を選択する。例えば、操作者は、操作部７０６を用いて、リスト画面９０の中から、表示したい処理画像４２に対応するボックス９０ａに対して操作を行うことにより、選択入力することができる。そして、外部装置７００は当該選択入力を受け付け、ステップＳ６０７へ進む。
【０１２５】
（ステップＳ６０７）
外部装置７００は、表示部７０４に、操作者に対して認証情報（例えば、パスワード）の入力を誘導する操作画面を表示部７０４に表示する。次いで、ステップＳ６０９へ進む。
【０１２６】
（ステップＳ６０９）
操作者は、操作部７０６を用いて、上記操作画面に対して認証情報（パスワード）を入力する。なお、操作者は、入力する認証情報を、管理サーバ２００からあらかじめ取得してもよく、撮影装置３００から送信されることにより取得してもよい。そして、外部装置７００は認証情報の入力を受け付け、ステップＳ６１１へ進む。
【０１２７】
（ステップＳ６１１）
外部装置７００は、受け付けた認証情報（パスワード）が、表示しようと選択した選択処理画像４２に紐づけられ、記憶部７０８に記憶された認証情報に対応するものがどうかを判断する。受け付けた認証情報が選択処理画像４２の認証情報に対応する場合には、ステップＳ６１３へ進む。一方、受け付けた認証情報が、選択処理画像４２の認証情報に対応しない場合には、ステップＳ６０７へ戻り、もう一度、操作者に対して認証情報の入力を誘導する。
【０１２８】
（ステップＳ６１３）
外部装置７００は、ステップＳ６０５において選択した選択処理画像４２を表示部７０４に表示し、処理を終了する。
【０１２９】
以上のように、本実施形態においては、上述の撮影処理において取得した処理画像４２を外部装置７００にて表示する際には、処理画像４２に紐づけられて記憶された認証情報に対応する認証情報が入力された場合に限り、処理画像４２を表示するため、処理画像４２による機密の漏えいを防止することができる。
【０１３０】
なお、上述の表示処理は、外部装置７００に処理画像４２を表示する際だけでなく、例えば、外部装置７００から処理画像４２を、他の外部接続装置に送信する際や、リムーバブル記録媒体等に書き込む際、さらに、処理画像４２を加工する際にも適用することができる。
【０１３１】
＜＜まとめ＞＞
以上説明したように、上述の実施形態においては、取得画像４０に情報コード５０が含まれ、さらに、情報コード５０から撮影可能範囲６０を示す位置情報、もしくは、画像の取得及び記録が可能な被写体を特定するための被写体情報等の処理情報が情報コード５０から取得できない限りは、撮影したい被写体の画像を取得し記憶することができないため、取得画像による機密の漏えいを防止することができる。さらに、上述の実施形態においては、取得画像４０を、そのまま記憶するのではなく、取得画像４０中の撮影可能範囲６０以外を、表示しない、もしくは、不鮮明になるように処理して、処理画像４２として記憶するため、撮影が制限されている領域についての機密の漏えいを防止することができる。
【０１３２】
さらに、上述の本実施形態においては、撮影場所内で撮影装置３００によって撮影した処理画像４２を撮影者がその場で再度確認したい場合には、撮影者が撮影装置３００を処理画像４２の被写体に再度向けるだけで、当該処理画像４２の表示することができるため、撮影者は、面倒な操作（例えば、パスワードの入力）を行うことなしに、容易に当該処理画面４２を確認することができる。
【０１３３】
なお、上述の実施形態においては、被写体の画像の取得とともに情報コード５０の画像を取得していたが、これに限定されるものではなく、例えば、撮影装置３００は、被写体の撮影前に、情報コード５０の画像を取得し、取得した情報コード５０の画像から処理情報を抽出し、抽出した処理情報によって撮影装置３００が制御されることにより、撮影装置３００が、撮影が許可された被写体、すなわち、撮影可能範囲の画像しか取得できないようにしてもよい。
【０１３４】
また、上述の実施形態においては、データセンタ内のモニター画面３０が撮影可能な被写体であるとして説明したが、撮影可能な被写体は、これに限定されるものではなく、データセンタ内の特定のラックであってもよく、プリンタの内部（例えば、故障等が生じやすい部位）であってもよく、現金等を取り扱う現金取扱装置（例えば、自動取引装置（ＡＴＭ））の内部であってもよい。これらの場合、撮影可能な部分には、本実施形態に係る情報コード５０が貼付されることとなる。
【０１３５】
＜＜ハードウェア構成＞＞
以上、実施形態について説明した。次に、本実施形態に係る撮影装置３００のハードウェア構成について、図２０を参照して説明する。図２０は、本実施形態に係る撮影装置３００のハードウェア構成を示したブロック図である。
【０１３６】
図２０に示すように、撮影装置３００は、それぞれ、ＣＰＵ９５０、ＲＯＭ９５２、ＲＡＭ９５４、内部バス９５６、入出力インターフェース９５８、入力装置９６０、出力装置９６２、ＨＤＤ（Ｈａｒｄ  Ｄｉｓｋ  Ｄｒｉｖｅ）９６４、ネットワークインターフェース９６６、カメラ９６８、ドライブ９７０及び接続ポート９７４を有する。
【０１３７】
（ＣＰＵ９５０）
ＣＰＵ９５０は、演算処理装置および制御装置として機能し、各種プログラムに従って撮影装置３００内の動作全般を制御する。また、ＣＰＵ９５０は、撮影装置３００における制御部３０２の機能を実現する。なお、ＣＰＵ９５０は、マイクロプロセッサなどのプロセッサにより構成される。
【０１３８】
（ＲＯＭ９５２）
ＲＯＭ９５２は、ＣＰＵ９５０が使用するプログラムや演算パラメータ等を記憶する。
【０１３９】
（ＲＡＭ９５４）
ＲＡＭ９５４は、ＣＰＵ９５０の実行において使用するプログラムや、その実行において適宜変化するパラメータ等を一時記憶する。
【０１４０】
（内部バス９５６）
内部バス９５６は、ＣＰＵバスなどから構成される。この内部バス９５６は、ＣＰＵ９５０、ＲＯＭ９５２、およびＲＡＭ９５４を相互に接続する。
【０１４１】
（入出力インターフェース９５８）
入出力インターフェース９５８は、ＨＤＤ９６４、およびネットワークインターフェース９６６を、内部バス９５６と接続する。例えばＨＤＤ９６４は、この入出力インターフェース９５８および内部バス９５６を介して、ＲＡＭ９５４などとの間でデータをやり取りする。
【０１４２】
（入力装置９６０）
入力装置９６０は、撮影装置３００の操作表示部３０６の操作部の一例として構成される。入力装置９６０は、例えばユーザが情報を入力操作するための入力手段と、ユーザによる入力に基づいて入力信号を生成し、ＣＰＵ９５０に出力する入力制御回路などから構成されている。
【０１４３】
（出力装置９６２）
出力装置９６２は、操作表示部３０６の表示部の一例として構成される。出力装置９６２は、表示部としては、液晶ディスプレイ装置、ＯＬＥＤ装置などの表示装置を含む。この表示装置は、カメラ９６８により撮影された画像や、ＣＰＵ９５０により生成された画像などを表示する。
【０１４４】
（ＨＤＤ９６４）
ＨＤＤ９６４は、撮影装置３００の記憶部３０８として機能する、データ格納用の装置である。このＨＤＤ９６４は、ＣＰＵ９５０が実行するプログラムや各種データを格納する。
【０１４５】
（ネットワークインターフェース９６６）
ネットワークインターフェース９６６は、例えばインターネットなどの通信網に接続するための通信デバイス等で構成された通信インターフェースである。このネットワークインターフェース９６６は、通信部３１０として機能する。なお、ネットワークインターフェース９６６は、無線ＬＡＮ対応通信装置、ＬＴＥ（Ｌｏｎｇ  Ｔｅｒｍ  Ｅｖｏｌｕｔｉｏｎ）対応通信装置等であってもよい。
【０１４６】
（カメラ９６８）
カメラ９６８は、撮影部３０４の一例として構成される。カメラ９６８は、外部の映像を、レンズを通して例えばＣＣＤやＣＭＯＳなどの撮像素子に結像させ、静止画像または動画像を撮影する機能を有する。
【０１４７】
（ドライブ９７０）
ドライブ９７０は、磁気ディスク、光ディスク、又は半導体メモリなどのリムーバブル記録媒体９７２のためのリーダライタであり、撮影装置３００に内蔵、あるいは外付けされる。ドライブ９７０は、データ出力部３１２として機能し、装着されているリムーバブル記録媒体９７２に情報を書き込む。また、ドライブ９７０は、装着されているリムーバブル記録媒体９７２に記録されている情報を読み出して、ＲＡＭ９０５に出力することもできる。
【０１４８】
（接続ポート９７４）
接続ポート９７４は、外部装置７００を撮影装置３００に直接接続するためのポートである。接続ポート９７４は、例えば、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート等である。接続ポート９７４は、データ出力部３１２として機能し、接続ポート９７４に、外部装置７００を接続することにより、撮影装置３００と外部装置７００との間で各種のデータが交換されうる。
【０１４９】
以上、本実施形態に係る撮影装置３００のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【０１５０】
以上、図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１５１】
また、上述した各実施形態の処理における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。さらに、各ステップの処理の方法についても、必ずしも記載された方法に沿って処理されなくてもよく、例えば、他の機能部によって処理されていてもよい。
【０１５２】
さらに、上記の実施形態にかかる撮影方法及び表示方法の少なくとも一部は、コンピュータを機能させる情報処理プログラムとして、ソフトウェアで構成することが可能であり、ソフトウェアで構成する場合には、これらの方法の少なくとも一部を実現するプログラムをフレキシブルディスクやＣＤ−ＲＯＭ等の記録媒体に収納し、撮影装置３００や外部装置７００等、もしくは、これらの装置と接続された他の装置に読み込ませて実行させてもよい。記録媒体は、磁気ディスクや光ディスク等の着脱可能なものに限定されず、ハードディスク装置やメモリなどの固定型の記録媒体でもよい。さらに、これらの方法の少なくとも一部を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【符号の説明】
【０１５３】
３０    モニター画面
３２    サーバ
３４    キーボード等
４０、４２    画像
５０    情報コード
５０ａ、５０ｂ、５０ｃ、５０ｄ    辺
５２、５４    ドット
５６    原点
６０    撮影可能範囲
６０ａ、６０ｂ、６０ｃ、６０ｄ    境界線
６２    マスク
９０、９２、９４    画面
９０ａ    ボックス
９２ａ、９２ｂ    ボタン
１００    コード作成装置
１０２    コード作成部
１０４    印刷処理部
２００    管理サーバ
２０２    通信ネットワーク
３００    撮影装置
３０２、７０２    制御部
３０４    撮影部
３０６    操作表示部
３０８、７０８    記憶部
３１０、７１０    通信部
３１２、７１２    データ出力部
３２０    撮影制御部
３２２    画像解析部
３２４    情報抽出部
３２６    コード検出部
３２８    情報取得部
３３０    画像処理部
３３２    表示制御部
３３４    操作認識部
３３６    通信制御部
７００    外部装置
７０４    表示部
７０６    操作部
９５０    ＣＰＵ
９５２    ＲＯＭ
９５４    ＲＡＭ
９５６    内部バス
９５８    入出力インターフェース
９６０    入力装置
９６２    出力装置
９６４    ＨＤＤ
９６６    ネットワークインターフェース
９６８    カメラ
９７０    ドライブ
９７２    リムーバブル記録媒体
９７４    接続ポート
【図１】
0006565763.tif 000002
【図２】
0006565763.tif 000003
【図３】
0006565763.tif 000004
【図４】
0006565763.tif 000005
【図５】
0006565763.tif 000006
【図６】
0006565763.tif 000007
【図７】
0006565763.tif 000008
【図８】
0006565763.tif 000009
【図９】
0006565763.tif 000010
【図１０】
0006565763.tif 000011
【図１１】
0006565763.tif 000012
【図１２】
0006565763.tif 000013
【図１３】
0006565763.tif 000014
【図１４】
0006565763.tif 000015
【図１５】
0006565763.tif 000016
【図１６】
0006565763.tif 000017
【図１７】
0006565763.tif 000018
【図１８】
0006565763.tif 000019
【図１９】
0006565763.tif 000020
【図２０】
0006565763.tif 000021